(57)【要約】【課題】万引きの被害に遭いやすい化粧品などを大量の万引きから防止するとともに、顧客が商品を直接手に取って見ることができ、陳列作業の軽減を図ることができる陳列什器用カセットを提供する。【解決手段】前方抑え板と天板設置用の溝が設けられたカセット本体と、商品仕切り部材、商品前出し部材、後方抑え板、及びバネからなり、該商品前出し部材が該バネにより前後に移動可能に該商品仕切り部材に接続された商品トレイとを備えたカセットであって、該商品前出し部材を引っ張ることにより、該後方抑え板が商品の先端を該前方抑え板の位置まで押し出し可能で、該商品前出し部材の引っ張り状態を終了することにより、該後方抑え板および商品の位置は変わらずに、該商品前出し部材が元の位置に戻る陳列什器用カセット。【選択図】図１
2007148581.tif 000002
【特許請求の範囲】
【請求項１】
前方抑え板と天板設置用の溝が設けられたカセット本体と、商品仕切り部材、商品前出し部材、後方抑え板、及びバネからなり、該商品前出し部材が該バネにより前後に移動可能に該商品仕切り部材に接続された商品トレイとを備えたカセットであって、該商品前出し部材を引っ張ることにより、該後方抑え板が商品の先端を該前方抑え板の位置まで押し出し可能で、該商品前出し部材の引っ張り状態を終了することにより、該後方抑え板および該商品の位置は変わらずに、該商品前出し部材が元の位置に戻ることを特徴とする陳列什器用カセット。
【請求項２】
前記カセット本体の下部にテスターカセットを備えたことを特徴とする請求項１記載の陳列什器用カセット。
【請求項３】
取り外し可能な上下２段のカセットからなる２段式であることを特徴とする請求項１または２記載の陳列什器用カセット。
【請求項４】
天板が設置されたことを特徴とする請求項１〜３記載のいずれか１項に記載の陳列什器用カセット。
【請求項５】
顧客から見て正面に位置する部材が無色透明な部材であり、顧客から見て正面の位置にＰＯＰケースが設けられたことを特徴とする請求項１〜４記載のいずれか１項に記載の陳列什器用カセット。
【発明の詳細な説明】
【技術分野】
【０００１】
本発明は、商品を陳列して顧客に展示するための陳列什器に用いられるカセットに関し、特にドラッグストアなどで万引きを防止するための陳列什器用カセットに関する。
【背景技術】
【０００２】
現在ドラッグストア業界では、悪質化する万引き、組織的な窃盗団による被害が拡大している。統計的にも狙われる商品が偏っている場合も多く、万引きした商品を換金する目的で特定商品を狙い集団的、計画的な手口も出てきている。
どの小売業界においても深刻な問題であるが、特にドラッグストア業界はヘルス・アンド・ビューティをテーマにした品揃えであり、医薬品・化粧品などのサイズが小さく、高額の商品が多く店舗の規模も大きくなる傾向にあるので更に万引きされやすい状況である。
【０００３】
ドラッグストア業界において、大衆薬、化粧品、サプリメントなどは、陳列什器に展示されている商品を顧客がレジまで持っていくことが通常行われている。ここで、万引きをされにくくするために、商品をカセットに入れた状態で、什器に置くことも行われている。しかし、これらのカセットでは、商品をひとつ取ると、後ろの押圧手段によって商品が自動的に前出しされるため、結果的に、依然万引きされやすいといった問題点があった。また、商品を取ることにより、自動的に商品が前出しされるため、一度取った商品を戻しづらいものであった。さらに、これらのカセットは、メーカー対応品のため、売り場全体から見ると統一感が無くなることがあり、また、メーカーのＰＯＰ広告が決まっているため、店側としてのイメージを作るのが困難であるといった問題点があった。
【０００４】
また、万引き防止の対策として、商品のひとつひとつにタグをつけて防犯ゲートを設置したり、防犯カメラや防犯ミラーを取り付けたりする店舗は多数ある（例えば、特許文献１参照）。また、アクリルケース等に入れ、商品ではなくカードをレジに持っていく方法や、ダミー商品を陳列し、そのダミーをレジに持っていく方法など、各々工夫している。
【特許文献１】特開２００４−３１０１７２号公報
【発明の開示】
【発明が解決しようとする課題】
【０００５】
万引き防止の対策として、防犯ゲートを設置したり、防犯カメラや防犯ミラーを取り付けたりすることは、特に窃盗団には効果が薄い。また、アクリルケース等に入れ、商品ではなくカードをレジに持っていく方法や、ダミー商品を陳列し、そのダミーをレジに持っていく方法では、顧客が商品を直接手に取って見られないことや手間がかかることで、売上の低下に繋がるなどの問題が生じている。
そこで、本発明は特に万引きの被害に遭いやすい化粧品などを大量の万引きから防止するとともに、顧客が商品を直接手に取って見ることができ、陳列作業の軽減を図ることができる陳列什器用カセットを提供することを目的とするものである。
【課題を解決するための手段】
【０００６】
すなわち、本発明は、
（１）前方抑え板と天板設置用の溝が設けられたカセット本体と、商品仕切り部材、商品前出し部材、後方抑え板、及びバネからなり、該商品前出し部材が該バネにより前後に移動可能に該商品仕切り部材に接続された商品トレイとを備えたカセットであって、該商品前出し部材を引っ張ることにより、該後方抑え板が商品の先端を該前方抑え板の位置まで押し出し可能で、該商品前出し部材の引っ張り状態を終了することにより、該後方抑え板および該商品の位置は変わらずに、該商品前出し部材が元の位置に戻ることを特徴とする陳列什器用カセット、
（２）前記カセット本体の下部にテスターカセットを備えたことを特徴とする（１）項記載の陳列什器用カセット、
（３）取り外し可能な上下２段のカッセトからなる２段式であることを特徴とする（１）または（２）記載の陳列什器用カセット、
（４）天板が設置されたことを特徴とする（１）〜（３）記載のいずれか１項に記載の陳列什器用カセット、および
（５）顧客から見て正面に位置する部材が無色透明な部材であり、顧客から見て正面の位置にＰＯＰケースが設けられたことを特徴とする（１）〜（３）記載のいずれか１項に記載の陳列什器用カセット
を提供するものである。
【発明の効果】
【０００７】
本発明においては、引っ張り棒を引っ張るごとに什器から商品を実質的に一つずつしか取れなくすることができ、大量万引きの防止に有効である。
また、購入者が商品を取る動作に連動して在庫商品の前出し陳列が自動的に行なうことができる。さらに、テスター商品用カセットを設けることで商品を実際に試せるサンプルを同時に陳列することができる。
【０００８】
本発明においては、可動するパーツの組み合わせにより、商品別サイズ、化粧品メーカー別サイズに関わらず、好ましく使用することができる。したがって、どの化粧品メーカーの製品に対しても、同じサイズのカセットを用いることで、統一感のある陳列をすることができる。
さらに、本発明のカセットは、既製什器にあう寸法に製造することが容易である。そのため、これらのカセットは、どの店舗でも店員が簡単に設置することができる。
【発明を実施するための最良の形態】
【０００９】
以下、本発明の実施の態様を、図面を参照して説明するが、本発明はこれに限定されるものではない。
【００１０】
図１は、本発明の一つの実施態様である陳列什器用カセットを右側面図で示す説明図である。本発明の陳列什器用カセットは、カセット本体と、カセット本体に係合された商品トレイとを備えている。商品トレイは、商品仕切り部材１、商品前出し部材２、及び後方抑え板３、およびバネ４からなる。また、カセット本体には、前方、即ち顧客に対する正面手前に前方抑え板５が設けられ、上部に水平方向および垂直方向にそれぞれ天板設置用の溝６が設けられている。また、本実施態様では、カセット本体は透明のアクリル板で形成され、内部の部材及び設置された商品７も外部から観察できるため、カセット本体の右側面板に覆われた商品７および部材についても原則として実線で示している。ただし、商品仕切り部材１については、商品前出し部材２、後方抑え板３、及び商品７との位置関係を明瞭にするため点線で示している。
【００１１】
商品仕切り部材１と商品前出し部材２はバネ４で接続されている。商品仕切り部材１の背板は下方に開口したコの字状をしており、この部分がカセット本体内部の突起部８と係合される。
商品前出し部材２の引っ張り棒９を図面の左側、すなわち顧客にとって手前側に引っ張ることにより、前出し部材２により後方抑え板３が商品６を前方抑え板４に当たる位置まで押し出す。次いで引っ張り棒９から手を離し、引っ張り状態を終了することにより、前出し部材２はバネ４の作用により元も位置まで戻る。一方、商品７および後方抑え板３は前方の位置のままとなる。また、溝６に商品７の形状に応じて、横板、縦板、あるいはＬ字型などの天板を適宜設置することで、実質的に１個ずつしか商品を取り出すことができない開口部を前方抑え板５と天板とで形成することが好ましい。この場合、商品トレイに複数の商品が並んで設置していても、最前列の商品を取り出した後、次の商品はそれ以上前出しされることはなく、前述の開口部からは取り出すことできない。さらに、一旦、取り出した商品を元の位置に戻すことも、容易である。
【００１２】
カセットの組み立ては、例えば、カセット本体の上方から、引っ張り棒９を前方抑え板３の下を通し、続いて上記カセット本体の突起部８に商品仕切り部材１のコの字状背板部分を合わせるように商品トレイを嵌め込むことで行うことができる。また、この方法によれば、様々な形状の商品に応じて、商品トレイの幅や用いるトレイの数を、カセット本体を変更することなく、容易に変更することができる。
【００１３】
本実施態様では、カッセット本体の下部に、テスターカセット１０、１１を設けてある。また、テスターカセット上方には取り外し可能なフタ１２が設けられている。フタ１２は、円柱状の突起が穴１３に差し込まれて開閉自在に固定されており、つまみ１４を引っ張り上げることで、点線で示す位置まで開閉することができる。また上段のカセット１１はスライド式になっており、つまみ１５を図面左方向に引っ張ることにより位置を移動することができる。このテスターカセット１０，１１には、ストック商品の箱内の化粧品などを入れて、顧客が実際に試せるサンプルを陳列することができる。
【００１４】
また、顧客に対し正面に位置するテスターカセット前方にＰＯＰケース１６が設けられている。また、天板としてＬ字型のものを用いる場合にはその顧客に対し正面に位置する面にもＰＯＰケースを置くことが可能である。
【００１５】
また、商品トレイ部分は、後ろへ（図１で左から右にかけ）若干傾斜した構造とすると、後方抑え板３の作用とあいまって、一つの商品をとった後にできる空間により、次の商品が前倒れするのを防止できるので好ましい。
【００１６】
図２は、カセット本体の一例の正面図である。符号は図１と同じものを示す。前方抑え板４とテスターカセット部分の間には空間が存在し、その空間から、前出し部材の引っ張り棒が貫通することになる。
【００１７】
図３は、本発明のカセットに用いることができる商品トレイの分解図を斜視図によって示す図である。商品仕切り部材１の底板には、後方に円形の開口部２１が設けられ、そこから溝２２が前方に伸びている。商品トレイは、例えば、以下のように組み立てることができる。まず、後方抑え板３の下部の突起２３を開口部２１に嵌め込む。これにより、後方抑え板３は溝２２に沿って前後に移動可能となる。次いで、後方抑え板３を一旦前に手で押して移動させ、後方部分の溝２２から商品前出し部材２の引っ張り棒９の先端を、穴２４に通すように入れ、突起２５を開放部２１の下方に嵌め込む。これにより商品前出し部材２も溝２２に沿って前後に移動可能となる。最後に商品仕切り部材１の穴２６と商品前出し部材２の穴２７に、通常のコイルバネの両方の先端を通し、商品仕切り部材１と商品前出し部材２を接続する。
バネを除く商品トレイの各部材を形成する材料は、それに限定されるものではないが透明アクリル板であることが好ましい。また、図３に示す態様では引っ張り棒９の先端に矢印のカッティングシールを張ったツマミ２８が設けられているが、これは、商品トレイ組立て後に、常法により溶接して設けることができる。
【００１８】
図４は組み立てた後の商品トレイの平面図である。符号は、図３で示したものと同じ意味である。
【００１９】
図５は、本発明の別の実施態様の陳列什器用カセットの右側面図である。ここでは、カセットが、下部（１段目）カセット３１と、取り外し可能な上部（２段目）カセット３２からなる２段式で、それぞれ上記商品トレイと同様の商品トレイを備え、顧客から見た場合、商品トレイが上下２段となる。このため、１段式のカセットに比べ、より多くの商品を陳列可能であり、また、商品の形状の違いよっても幅広く対応が可能である。上部カセット３２の底板には下向きに開口したコの字状の突起３３が複数設けられており、この突起を下部カセット３１の本体側面板および背板に噛み合わせることで、組み立て、固定することができる。本実施態様では、上部カセットが下部カセットの天板の役割も兼ねている。また、上部カセットには横板の天板３４が備えられている。また、上部カセットには、さらに同様のカセットを積み重ね、３段以上の構造としても良い。
【００２０】
本発明のカセットでは、顧客が商品引っ張り棒を引いて商品を取る動作に連動して、自動的に次の在庫商品がある程度前出しされ、透明の部材を通じての確認が容易となる。また、本発明のカセットに商品を補充する際には、単に、前方抑え板上方の開口部から順次商品を入れいくと、順次後方抑え板が商品仕切り部材の溝に沿って自動的に後方に移動し、陳列が容易である。
【００２１】
本発明においては、可動するパーツである商品トレイのサイズは適宜変更することができ、その組み合わせにより商品サイズ・化粧品等メーカー別サイズに係らず使用できる。どのメーカーの化粧品等も同じカセット本体を使用することで、店内の統一した陳列ができる。
店舗では、その時々のコンセプトに従って、各種商品をストックした本発明のカセットが既製什器に並べられ、商品が陳列されることになる。
【００２２】
本発明のカセットは、好ましくは顧客から見て正面に位置する部材、さらに好ましくはバネを除く全ての部材は商品の見易さや清潔感の点から、アクリル樹脂などの無色透明な部材であることが好ましい。各部材は、例えばアクリル樹脂を常法により成形して用いることができる。バネは、特に限定はなく、既存のバを商品に合わせ適宜選択することができる。
【００２３】
本発明のカセットは、どのメーカーの商品に対しても対応可能なため、陳列した後の統一感がある。また、顧客から見て正面に位置する部材を無色透明な部材とし、さらに上述のＰＯＰケースを設けることで、見え方に清潔感があり、かつ、割引ＰＯＰ広告や、シーズン性のＰＯＰ広告などを適宜置くことで、お店のイベントによって多種展開が可能となり、化粧品やサプリメントなどの商品の陳列に好適である。
【図面の簡単な説明】
【００２４】
【図１】本発明の一実施態様の陳列什器用カセットの説明図である。
【図２】カセット本体の一例の正面図である。
【図３】本発明に用いられる商品トレイの一例の分解図である。
【図４】本発明に用いられる商品トレイの平面図である。
【図５】本発明の別の実施態様の陳列什器用カセットの説明図である。
【符号の説明】
【００２５】
１    商品仕切り部材
２    商品前出し部材
３    後方抑え板
４    バネ
５    前方抑え板
６    天板設置用溝
７    商品
８    突起部
９    引っ張り棒
１０  テスターカセット
１１  テスターカセット
１２  フタ
１３  穴
１４  つまみ
１５  つまみ
１６  ＰＯＰケース
２１  開口部
２２  溝
２３  突起
２４  穴
２５  突起
２６  穴
２７  穴
２８  ツマミ
３１  下部カセット
３２  上部カセット
３３  突起
３４  天板
【図１】
2007148581.tif 000003
【図２】
2007148581.tif 000004
【図３】
2007148581.tif 000005
【図４】
2007148581.tif 000006
【図５】
2007148581.tif 000007